(57)【要約】【課題】本発明は、ハンドル部の操作性を損なうことなく、ドアパネルの開口から水が侵入するのを防げるドアハンドルを提供する。【解決手段】本発明のドアハンドル装置は、ハンドル部１５からドアスイッチ２３へ変位を伝えるスイッチ操作子２６が貫通する貫通孔２２を有する区画壁２０を用い、同区画壁２０で、ドアパネル２ａに形成した開口部１１の開口を、ハンドル部１５がドアパネル２ａの外方側に配置され，ドアスイッチ２３がドアパネル２ａの内方側に配置されるように、液密的に区画しながら閉鎖する構造を採用して、ハンドル部１５が外気に露出した自然の状態のまま、ドアパネル２ａの開口部１１を閉鎖して、外部からの水の侵入を断つようにし、どのような環境下でもハンドル部１５の操作力が変わらずに、ドアパネル２ａの開口部１１から水の侵入が防げるようにした。【選択図】    図４
2004278239.tif 000002
【特許請求の範囲】
【請求項１】
ドアパネルに形成された開口部に固定されるベース部材と、
基端側が前記ベース部材に支持され前記ドアパネル外方向に延在するハンドル部と、
前記ハンドル部の変位を伝達する伝達部と、
前記伝達部により操作され電気信号を送出するスイッチとを有するドアハンドルにおいて、
前記ベース部材は、前記伝達部が貫通する貫通部分、及び前記ハンドル部を前記ドアパネル外方側に、前記ドアスイッチを前記ドアパネルの内方側に配置されるように液密的に区画して前記開口部を実質的に閉鎖する区画壁を有する
ことを特徴とするドアハンドル。
【請求項２】
前記貫通部分と前記伝達部との間には、シール部材が介在されることを特徴とする請求項１に記載のドアハンドル。
【請求項３】
前記ドアスイッチはドアロック解除用の電気信号を送出するものであることを特徴とする請求項１に記載のドアハンドル。
【請求項４】
前記ベース部材は、前記ドアパネルの内側の内面に液密に設置される前記開口部の開口縁にならう枠形の本体部と、前記本体部の開口縁から前記ドアパネルの内側へ張り出して前記ハンドル部の基端部を囲み前記開口部の開口を閉鎖する袋状の区画壁とを有して構成されることを特徴とする請求項１に記載のドアハンドル。
【請求項５】
前記ベース部材は、前記ドアパネルの内側の面に液密に設置される前記開口部の開口縁にならう枠形の本体部と、前記本体部の開口縁から前記ドアパネルの内側へ張り出して前記開口部の開口を閉鎖する袋状の区画壁とを有して構成され、
前記ハンドル部は、車両の幅方向に沿って延びる平板状で、前記区画壁の開口から内部に差込み可能に形成されてなる本体部を有し、かつ該本体部の基端部の幅方向一側には前記区画壁の内面に形成された凹部に回転自在に嵌まる軸が形成され、該軸の軸心線を延長した幅方向他側の地点には係合受部が形成されてなり、
前記貫通部分は、前記係合受部と隣合う前記区画壁の壁部分に形成され、
前記ドアスイッチは、前記貫通部分のある壁部分の外側に配置され、
前記伝達部は、一端部に前記ドアスイッチを押圧操作する押圧部を有し、他端部には前記区画壁の外側から前記貫通部分へ挿入されることによって該貫通部分と嵌まり回転自在に支持される軸部を有し、さらに該軸部の先端部には前記貫通部分への挿入にしたがい前記第係合受部と係脱可能に係合する係合部が形成されて構成される
ことを特徴とする請求項１に記載のドアハンドル。
【発明の詳細な説明】
【０００１】
【発明の属する技術分野】
本発明は、車両のドアに取付けられるドアハンドルに関する。
【０００２】
【従来の技術】
自動車（車両）のドア、特にテールゲートでは、軽い操作力で、ドアロックの解除が行えるよう、ハンドル部の動きに連動して電気信号を出力する電気式のドアハンドルの開発が進められている。
【０００３】
こうしたテールゲートのドアハンドルには、ハンドル部が操作、例えばロック解除操作されると、ドアスイッチからロック解除を示す電気信号が出力される構造が用いられる。具体的には、通常の構造、すなわちベース部材をテールゲートのドアパネルの内側に設置し、このベース部材に支持されたハンドル部の先端側をドアパネルに形成した開口部から外側へ突き出す構造に加え、ドアパネルの内側に設置したドアスイッチ、このドアスイッチへハンドル部の変位を伝えてロック解除の信号出力させる構造が追加してある。そして、ドアスイッチからの電気信号で電動式のロック装置を駆動して、テールゲートを開放させるようにしてある。
【０００４】
ところで、ドアパネル内部に配置されるドアスイッチやそのスイッチに接続される配線類、さらにはドアパネルの内部に内蔵される多くの電気部品は、水の影響を受けやすい。
【０００５】
このため、テールゲートのドアハンドルは、外気に開放している開口部から、ドアパネルの内部へ水が侵入するのを防ぐ防水構造が求められる。
【０００６】
その対策としてドアハンドルでは、柔軟な部材から形成した袋状の防水カバーで、開口部から突き出したハンドル部の全体を覆いながら開口部の開口を閉鎖して、開口部から水が侵入するのを防ぐ防水構造が提案されている（例えば特許文献１を参照）。
【０００７】
【特許文献１】
特開２００２−１８８３２８号
【０００８】
【発明が解決しようとする課題】
ところで、防水カバーは、ハンドル部を覆い、ハンドル部と一緒に操作されるために、ハンドル部の操作性を損なわないよう、例えばエラストマー系樹脂などの合成樹脂材料が採用される。
【０００９】
ところが、樹脂材料は温度の影響を受けやすい。このため、冬期など低外気温の環境下の使用では、防水カバーは硬化してしまう。防水カバーは、ハンドル部を操作する部分の周りを覆っているために、このような硬化を生じると、今まで軽い操作力でハンドル部の操作ができたのが、さらに大きな操作力でないと、ハンドル部が操作できなくなる傾向にある。このため、ハンドル部の操作性が損なわれるおそれがある。
【００１０】
そこで、本発明の目的は、ハンドル部の操作性を損なうことなく、ドアパネルの開口から水が侵入するのを防げるドアハンドルを提供することにある。
【００１１】
【課題を解決するための手段】
上記目的を達成するために請求項１に記載の発明は、ドアパネルに形成された開口部に固定されるベース部材として、伝達部が貫通する貫通部分、及びハンドル部をドアパネル外方側に、ドアスイッチをドアパネルの内方側に配置されるように液密的に区画して開口部を実質的に閉鎖する区画壁を有する構成とした。
【００１２】
この区画壁により、ハンドル部は外気に露出する状態のまま、ドアパネルの開口部が閉鎖されて、外部からの水の侵入を断つ。これにより、どのような環境下でもハンドル部の操作力が変わらずに、ドアパネルの開口からの水の侵入を防げるようになり、安定したハンドル部の操作性が確保される。
【００１３】
請求項２に記載の発明は、前記目的に加え、一層、高い防水性が確保されるよう、ドアスイッチを操作する伝達部とそれを貫通する貫通部分との間にシール部材が介在させる構成を採用して、水などが貫通部分からドアパネルの内側へ侵入するのを防ぐようにした。
【００１４】
請求項３に記載の発明は、前記目的に加え、ドアロック解除用のドアスイッチに好適な防水が確保されるよう、ドアスイッチにはドアロック解除用の電気信号を送出するスイッチを採用した。
【００１５】
請求項４に記載の発明は、前記目的に加え、区画壁がベース部材を補強する補強材を兼ねるよう、ベース部材には、開口部の開口縁にならうよう、ドアパネルの内側の内面に液密に設置される枠形の本体部と、本体部の開口縁からドアパネルの内側へ張り出してハンドル部の基端部を囲み開口部の開口を閉鎖する袋状の区画壁とを有して構成を採用した。
【００１６】
請求項５に記載の発明は、前記目的に加え、区画壁による防水性はそのまま確保しながら、ハンドル部と伝達部との組付性を良好にするよう、ベース部材は、開口部の開口縁にならうよう、ドアパネルの内側の面に液密に設置される枠形の本体部と、本体部の開口縁からドアパネルの内側へ張り出してハンドル部の基端部を囲み開口部の開口を閉鎖する袋状の区画壁とを有した構成とし、ハンドル部は、車両の幅方向に沿って延びる平板状で、かつ区画壁の開口から内部に差込み可能で、さらに基端部の幅方向一側に区画壁の内面の凹部に回転自在に嵌まる軸を有し、該軸の軸心線を延長した幅方向他側の地点に係合受部を有した本体部を用い、貫通部分は、係合受部と隣合う区画壁の壁部分に形成した構成とし、ドアスイッチは、貫通部分のある壁部分の外側に配置した構成とし、伝達部は、一端部にドアスイッチを押圧操作する押圧部を有し、他端部に外側から貫通部分へ挿入されることによって該貫通部分と嵌まり回転自在に支持される軸部を有し、さらに軸部の先端部に貫通部分への挿入にしたがい係合受部と係合する係合部を形成した構成するという、ハンドル部が袋状の区画壁の内側から組付き、伝達部が区画壁の外側から組付く構成で、ドアスイッチが操作されるようにしたことにある。
【００１７】
【発明の実施の形態】
以下、本発明を図１ないし図５に示す一実施形態にもとづいて説明する。
【００１８】
図１は、本発明を適用した自動車（車両）、例えばワゴンタイプの自動車の後部、図２はその図１中のＡ−Ａ線に沿う断面を示していて、図１中１は自動車の車体、２は同車体１の後部端に開口する開口部（図示しない）を開閉するテールゲートである。テールゲート２の外面、すなわちテールゲート２のドア本体を形成しているゲートアウタパネル２ａ（本願のドアパネルに相当）の車幅方向中央には、例えばナンバプレート（図示しない）が取付く部分となる角形の窪み部３が形成されている。また窪み部３の上縁部には車幅方向に沿って帯板状のオーナメント４が取着してある。そして、図２に示されるようにオーナメント４で覆われる窪み部３の上部壁をなす傾斜した壁部分３ａには、ドアハンドルである電気式のドアハンドル装置５が組付けられている。
【００１９】
図３にはこのドアハンドル装置５の全体の構造が示され、図４には同装置５を分解した構造が示され、図５には図３のドアハンドル装置５の平断面図（Ｂ−Ｂ線に沿う断面）が示されている。
【００２０】
図２〜図５を参照してドアハンドル装置５の構造を説明すれば、図中７は合成樹脂製のベース部材、１５は同じく合成樹脂製のハンドル部に相当）を示す。
【００２１】
このうちベース部材７は、壁部分３ａの内面にならって配置される本体部８をもつ。この本体部８は、車幅方向に延びる枠形をなしている。この本体部８の前面には、壁部分３ａの内面と重なり合う座面８ａが形成してある。また本体部８の両側部には一対の固定孔９が形成されている。本体部８は、この固定孔９および同固定孔９と対向した壁部分３ａの地点に形成してある固定孔（図示しない）に、固定具、例えばボルト（図示しない）を挿通させることによって、壁部分３ａの内面に固定してある。そして、本体部８の中央に有する開口１０が、壁部分３ａに形成してあるハンドル導出用の開口部１１に対向している。ここで、開口部１１は、例えば車幅方向に沿って延びる角形をなしている。開口１０は、この開口部１１と略同じ外形の角形に形成されている。そして、重なり合う開口部１１の開口縁とそれに対向する開口１０の周りの座面部分との間には、開口部分の周りを囲うようにシール部材１２が介在されていて、本体部８とゲートアウタパネル２ａの内面との間を液密にしている。
【００２２】
一方、ハンドル部１５は、このシールされた開口部分からゲートアウタパネル２ａの内側へ挿入してある。このハンドル部１５は、開口１０および開口部１１にならって差込み可能な平板状の本体部１４を有している。そして、この本体部１４のうち、ゲートアウタパネル２ａ内へ突き出る基端部を支持側とし、開口部１１からゲートアウタパネル２ａの外側へ突き出る先端部を操作側としている。なお、本体部１４の操作側の下面部分には、図２および図４中に破線で示されるように指先を引っ掛ける突起部分１５ａを形成するための窪み１５ｂが形成してある。また本体部１４の基端部の一側面に形成してある段差面１６（他の部分より退避した部分）からは、先端部が小径となった支持軸１７（本願の軸に相当）が突き出ている。また反対側の側面（他側面）には係合受部１８が形成してある。
【００２３】
他方、係合受部１８と隣接した地点となる本体部８の裏面部分には、ドアスイッチ、例えばドアロック解除用の電気信号を送出するドアスイッチ２３（例えばマイクロスイッチからなる）が配置してある。また本体部８（ベース部材７）の開口縁の全体からは、図２〜図４に示されるように一体にゲートアウタパネル２ａの内側へ区画壁２０が張り出している。この区画壁２０は、ハンドル部１５の基端部を囲みながら開口１０を塞ぐ袋状、ここではトンネル状をなしている。この区画壁２０により、外気に開放している開口部１１の開口を実質的に閉鎖させている。すなわち、通常、本体部８は、液密に設置されることから、開口部１１の開口さえ閉鎖すれば、ゲートアウタパネル２ａの開口が閉鎖される結果となるからである。そして、この区画壁２０により、ゲートアウタパネル２ａに対して、ハンドル部１５が外方側に配置され、ドアスイッチ２３（電気部品）が内方側に配置されるように液密に区画させている。つまり、区画壁２０により、ドアスイッチ２３が配置される部位を、外部から水の侵入をできるだけ避ける場所にしている。
【００２４】
また袋状の区画壁２０のうち、図４に示されるように幅方向一側の内面には、支持軸１７の先端の小径部分１７ａが回転自在に嵌まり合う凹部２１が形成されている。区画壁２０の幅方向他側の内面のうち、凹部２１の軸心線を延長した地点には、貫通孔２２（本願の貫通部分に相当）が形成されている。そして、この貫通孔２２のある区画壁２０の側壁２０ａを用いて、貫通孔２２の直下の付近に上記ドアスイッチ２３が設置させてある。この設置には、例えば側壁２０の外面下部に、下方へ突き出るようにクランク状の板片部２４を形成する。そして、この板片部２４の外面に、アーマチュア２３ａが上側に向く姿勢で、ドアスイッチ２３の本体部を固定する構造が用いてある。なお、図１および図５に示されるように板片部２４の幅方向端、上部端など各端部は、側壁２０ａと一体となって、ドアスイッチ２３から外方の地点まで張り出している。そして、この張り出した板部分をプロテクタとして、ドアスイッチ２３及びレバー部２９を周囲から保護する構造にしてある。
【００２５】
貫通孔２２には、スイッチ操作子２６（伝達部に相当）が組付く。スイッチ操作子２６は、ハンドル部１５と別体に形成された部品ある。このスイッチ操作子２６には、ハンドル部１５のヒンジ構造を兼ねる構造が用いてある。具体的には、スイッチ操作子２６の先端部（他端部）は、図４および図５に示されるように貫通孔２２に回転自在に嵌まり合う軸部２７、その軸部２７の先端部に係合部２８を形成した短軸状をなしている。また基端部（一端部）は、アーマチュア２３ａを周囲から邪魔されずに押圧操作するのに適した押圧部、例えばアーマチュア２３ａを上側から覆う略断面コ字形を呈したレバー部２９を有して形成してある。これにより、スイッチ操作子２６は、側壁２０の外側から先端部を側壁２０と突き当るまで貫通孔２２へ挿入すると、レバー部２９がアーマチュア２３ａの上方に位置決められ、軸部２７が貫通孔２２に回転自在に嵌まり、さらに係合部２８が区画壁２０の内側の係合受部１８（ハンドル部１５）に対して係脱可能に係合されるようにしてある。またハンドル部１５とスイッチ操作子２５との係合には、両者が高い支持剛性で結合されるよう、スイッチ操作子２５の先端側を両持ち支持させる構造が併用してある。詳しくは、同構造には、例えば図３〜図５に示されるように区画壁２０内の側壁２０ａと隣接する地点に、区画壁２０の内腔部分の一部を遮るよう、側壁２０ａと並行な支持用壁部３０（以下、単に壁部３０という）を形成し、貫通孔２２と同一軸線上の壁部３０部分に該貫通孔２２より小径な貫通孔２２ａ（貫通孔２２と貫通孔２２ａは同心関係）を形成する。スイッチ操作２５の係合部２８には、軸部２７の後に、異形状の外形の嵌挿部、例えば矩形断面の軸部３１、貫通孔２２ａに回転自在に嵌まる嵌挿軸部３２、弾性係止具としての傘状の弾性爪部３３を順に形成した構造を用いる。ハンドル部１５の係合受部１８には、例えば図４および図５に示されるように本体部１４の基端部の他側面寄りの部分（支持軸１７がある側とは反対の面側）に、壁部３０が入出自在な凹部３４を形成し、この凹部３４を挟んで他側面側に配置される狭幅の壁部１５ｃに、矩形断面の軸部３１が挿脱自在に嵌まる矩形の開口３５を形成した構造が用いてある。むろん、開口３５は、支持軸１７の軸心を延長した地点に形成してある。これにより、図５に示されるようにハンドル部１５の基端部を開口１０から区画壁２０内へ挿入してから、スイッチ操作子２６の先端部を外側から貫通孔２２へ挿入すると、スイッチ操作子２６の先端部が側壁２０ａおよび壁部３０で支えられながら、ハンドル部１５に組付くようにしてある。詳しくは、図４に示されるようにハンドル部１５の基端部を、その片側にある支持軸１７の先端を凹部２１に収め、反対側にある凹部３４に壁部３０が収まるよう、区画壁２０内に配置して、壁部３０の開口３５と壁部３０の貫通孔２２ａとを位置決めてから、スイッチ操作子２６の先端部を区画壁２０の外側から貫通孔２２へ突き当るまで挿入することにより、図５に示されるように軸部２７が貫通孔２２に嵌まり、矩形の軸部３１が矩形の開口３５に嵌まり、嵌挿軸部３２が貫通孔２２ａに嵌まり、傘状の弾性爪部３３が貫通孔２２ａを通過した直後に広がり壁部３０の壁面と回転可能な係止にして抜け止めされるようにしてある。これにより、ハンドル部１５の幅方向一側は支持軸１７により区画壁２０に回動自在に支持され、幅方向他側は両持ちの支持のスイッチ操作子２６により区画壁２０に回動自在に支持される。つまり、ドアハンドル全体は支持軸１７および軸部３０を支点に上下方向へ回動自在に支持される。と共に支持軸１７を通じて、ドアスイッチ２３の上側に有るレバー部２９へ、ハンドル部１５の回動変位が伝達される。つまり、ドアスイッチ２３が、区画壁２０外のレバー部２９により、ハンドル部１５の回動変位に連動して押圧操作されるようにしてある。
【００２６】
また貫通孔２２と同貫通孔２２を貫通する軸部２７との間には、シール部材、例えばＯリング３６が介装してある。具体的にはＯリング３６は、例えば貫通孔２２の外面側の開口縁と同開口縁と対向するレバー部２９の側壁外面との間に介在させてある。これにより、軸部２７の外面と貫通孔２２の内面との間の隙間をシールしている。そして、同シール構造、さらには凹部２１で支持軸１７を軸受する構造により、区画壁２０で形成されるシール空間を損なわずに、ハンドル部１５を回動自在に設置させている。
【００２７】
また図５に示されるように支持軸１７の周りには、ハンドル部１５を下向きへ付勢するばね部材、例えば捩ればね３７が組付けられていて、図２に示されるようにハンドル部１５の全体を、該ハンドル１５の下面部が開口１０の縁部と突き当る姿勢、すなわちテールゲート２のロック解除操作可能な姿勢に位置決めている。そして、ドアスイッチ２３から導出されている信号線２６は、例えばドアパネル２ａの内側に設置してある電動式ドアロック装置（図示ししない）に接続されていて、ハンドル部１５でロック解除操作が行われると、ドアスイッチ２３から出力される信号により、電動式ドアロック装置がロック解除側（テールゲート２のロック解除）へ作動されるようにしている。
【００２８】
なお、図３および図４において、３８は、開口１０の上部縁および幅方向両側の縁部に形成され、開口部１１から外部へ突き出て、ハンドル部１５の下側を除く３方を覆う略コ字形のカバー部（外部へ突き出たドアハンドル部分の保護）、３９は、同カバー部３８の上部壁に組付けられ、ロック解除操作時のハンドル部１５の衝撃を吸収するための衝撃吸収部材を示す。
【００２９】
このように構成された電気式のドアハンドル装置５を用いてテールゲート２を開くときは、図２に示されるように使用者の手指をオーナメント４の内側へ挿入して、テールゲート２の外面から突き出ているハンドル部１５の先端部を上側へ押圧する。すると、ハンドル部１５が、支持軸１７および軸部２７を支点として時計回りに回動する。すると、ハンドル部１５の回動変位が、軸部２７を通じて、区画壁２０外にあるレバー部２９へ伝わり、同レバー部２９がアーマチュア２３ａを押圧する。すると、操作されるドアスイッチ２３から、電動式ドアロック装置へドアロック解除の信号が出力される。この信号により、電動式ドアロック装置はロック解除側へ作動する。
【００３０】
このとき、ハンドル導出用の開口部１１は、区画壁２０により、ハンドル部１５をゲートアウタパネル２ａの外方側、ドアスイッチ２３をゲートアウタパネル２ａの内方側に配置されるように区画しながら閉鎖させてある。このことは、ハンドル導出用の開口部１１は、区画壁２０により、ハンドル部１５が外気に露出した自然の状態のままで閉鎖されて、外部からの水の侵入を断つ。つまり、ハンドル導出用の開口部１１は、ハンドル部１５の操作に何ら支障を与えないように防水が施される。
【００３１】
それ故、冬期時の低外気温等といったどのような環境下でもハンドル部１５の操作力が変わらずに、開口部１１からの水の侵入を防ぐことができ、ハンドル部１５の操作性を損なうことはなくなり、安定したハンドル部１５の操作性を約束できる。特にこうした防水構造は、ドアロック解除用のドアスイッチ２３に対する防水には好適である。
【００３２】
しかも、ドアスイッチ操作子２６が貫通する貫通孔２２は、Ｏリング３６でシールしたので、ドアスイッチ操作子２６と貫通孔２２との間からゲートアウタパネル２ａの内側へ水が侵入するのを防ぐことができ、一層、高い防水性を確保することができる。
【００３３】
そのうえ、区画壁２０は、ハンドル部１５の基端部を囲みながら開口部１１の開口を閉鎖する袋状が採用されているから、区画壁２０自身が、ベース部材７の各部の剛性を補強する補強材として兼ねるようになり、高い剛性強度をもたらす。特に区画壁２０はトンネル状をなすので、衝突時の衝撃に耐える剛性強度をもたらすには好適である。
【００３４】
さらに、区画壁２０の貫通孔２２を境に、ハンドル部１５は区画壁２０の内側から組付き、ドアスイッチ操作子２６は区画壁２０の外側から組付く構造にして、ハンドル部１５の回動変位をドアスイッチ操作子２６へ伝える構造にしてあるので、区画壁２０がもたらす防水性はそのまま確保しながら、良好にハンドル部１５とドアスイッチ操作子２６との組付けが行え、良好な組付性が確保できる。
【００３５】
なお、本発明は一実施形態に限定されるものではなく、本発明の主旨を逸脱しない範囲内で種々変更して実施してもよいことはいうまでもない。例えば一実施形態では、テールゲートに用いた例を挙げたが、これに限らず、自動車の各種のドアに組付く電気式のドアハンドル装置に適用してもよい。
【００３６】
【発明の効果】
以上説明したように請求項１に記載の発明によれば、区画壁により、ハンドル部は外気に露出する状態のまま、ドアパネルの開口部だけが閉鎖されるようになるから、どのような環境下でもハンドル部の操作力に影響を与えずに、ドアパネルの開口からの水の侵入を防止できる。
【００３７】
それ故、ハンドル部の操作性を損なうことなく、ドアパネルの開口から水が侵入するのを防ぐことができ、常に安定したハンドル部の操作性を確保することができる。
【００３８】
請求項２に記載の発明によれば、さらに区画壁の貫通部分と同貫通部分を貫通する伝達部との間をシールすることができ、一層、高い区画壁による防水性が確保できるといった効果を奏する。
【００３９】
請求項３に記載の発明によれば、さらにドアロック解除用のドアスイッチに好適な防水が確保できるといった効果を奏する。
【００４０】
請求項４に記載の発明によれば、さらに区画壁自身が、ベース部材の各部の剛性を補強する補強材としても兼ねるので、高い剛性強度をもたらすことができるといった効果を奏する。
【００４１】
請求項５に記載の発明によれば、さらに区画壁による防水性はそのまま確保しながら、区画壁がもたらす防水性をそのまま確保しながら、良好にハンドル部と伝達部との組付けを行うことができ、良好な組付性が確保できるといった効果を奏する。
【図面の簡単な説明】
【図１】本発明の一実施形態に係るドアハンドルが組付けられた自動車の後部を示す斜視図。
【図２】図１中のＡ−Ａ線に沿う側断面図。
【図３】ドアハンドルの外観を示す一部断面した斜視図。
【図４】同ドアハンドルを各部に分解した分解斜視図。
【図５】図３中のＡ−Ａ線に沿う平断面図。
【符号の説明】
２…テールゲート（ドア）、２ａ…ゲートアウタパネル（ドアパネル）、７…ベース部材、８…本体部、１１…開口部、１５…ハンドル部、１７…支持軸（軸）、１８…係合受部、２０…区画壁、２１…凹部、２２…貫通孔（貫通部分）、２３…ドアスイッチ、２６…スイッチ操作子（伝達部）、２７…軸部、２８…係合部、２９…レバー部（押圧部）、３６…Ｏリング（シール部材）。
【図１】
2004278239.tif 000003
【図２】
2004278239.tif 000004
【図３】
2004278239.tif 000005
【図４】
2004278239.tif 000006
【図５】
2004278239.tif 000007